(57)【要約】      （修正有）【課題】広いダイナミックレンジを扱う可変パワー適応送信機の出力回路は全域に亘って高効率を維持することは困難である。【解決手段】前記出力回路は、バイアス信号及び制御信号を受信するアナログ出力モジュールを備える。遅延モジュールは、第１の信号を受信して、遅延された第１の信号を生成する。制御モジュールは、その遅延された第１の信号を受信し、それに基づいて制御信号を生成する。包絡線生成モジュールは、第１の信号に関する振幅情報を含んだ第２の信号を受信し、包絡線信号が所定の閾値よりも高い場合であって且つ第１の信号の対応する部分をアナログ出力モジュールが受信する前に、アナログ出力モジュールへのバイアス信号を選択的に高める包絡線信号を生成する。【選択図】図９
2007228570.tif 000002
【特許請求の範囲】
【請求項１】
バイアス信号及び制御信号を受信するアナログ出力モジュールと、
第１の信号を受信し、遅延された第１の信号を生成する遅延モジュールと、
前記遅延された第１の信号を受信し、その信号に基づいて前記制御信号を生成する制御モジュールと、
前記第１の信号に関する振幅情報を含む第２の信号を受信すると共に、包絡線信号が所定の閾値よりも高い場合であって且つ前記第１の信号の対応する部分を前記アナログ出力モジュールが受信する前に、前記アナログ出力モジュールへの前記バイアス信号を選択的に高める前記包絡線信号を生成する包絡線生成モジュールと、
を備える回路。
【請求項２】
前記第１の信号は、デジタル変調キャリア信号を含む請求項１記載の回路。
【請求項３】
前記デジタル変調キャリア信号を整流し、前記整流された変調キャリア信号を前記包絡線生成モジュールに出力する整流器モジュールを更に備える請求項２記載の回路。
【請求項４】
前記包絡線信号をアナログ包絡線信号に変換するデジタルアナログ変換機を更に備える請求項１記載の回路。
【請求項５】
前記包絡線信号は、前記第１の信号の最速の立ち上がり時間よりも遅い立ち上がり時間を持っている請求項１記載の回路。
【請求項６】
前記アナログ出力モジュールは、電力増幅器を含む請求項１記載の回路。
【請求項７】
前記制御モジュールは、送信機モジュールを含む請求項１記載の回路。
【請求項８】
第１の基準電圧を受け、前記包絡線生成モジュールによって制御されるスイッチと、
前記包絡線生成モジュールの出力及び前記スイッチに電気的に接続されたキャパシタンスと、
前記アナログ出力モジュール及び前記キャパシタンスに電気的に接続されたインダクタンスと、
を更に備える請求項１記載の回路。
【請求項９】
前記アナログ出力モジュールに電気的に接続されたマッチングネットワークと、
前記マッチングネットワークに電気的に接続されたアンテナと、
を更に備える請求項１記載の回路。
【請求項１０】
前記包絡線信号モジュールは、前記第１の信号を受信し、当該第１の信号に基づいて前記包絡線信号を生成する請求項１記載の回路。
【請求項１１】
前記遅延回路モジュールは、前記変調キャリア信号を遅延させ、更に、前記遅延された変調キャリア信号をアップコンバートするアップコンバータを備える請求項２記載の回路。
【発明の詳細な説明】
【関連出願の相互参照】
【０００１】
[0001]本出願は、２００６年３月３日に出願された米国特許出願第１１／３６８３０８号の継続出願である。この米国特許出願第１１／３６８３０８号は、２００６年２月１４日に出願された米国仮出願第６０／７７３０３３号及び２００６年２月２７日に出願された米国仮出願第６０／７６３０４１号の利益を主張する。これらの出願の開示の全体が参照することにより本明細書に組み込まれる。
【発明の分野】
【０００２】
[0002]本発明は、通信システムに関し、特に、ネットワークインターフェース及び他のデバイスにおける送信機に関する。
【発明の背景】
【０００３】
[0003]図１に示すように、代表的なネットワーク１０は、一又は複数の無線ネットワーク装置２０−１，２０−２，・・・，２０−Ｘ（集合的に「無線ネットワーク装置２０」）、及び／又は、一又は複数の有線ネットワーク装置２４−１，２４−２，・・・，２４−Ｙ（集合的に「有線ネットワーク装置２４」）を備えている。無線ネットワーク装置２０は、アクセスポイント３０を用いてデータパケットを無線で送受信する。有線ネットワーク装置２４は、ケーブル、ファイバ、又は他のメディアを介してルータ４０との間でデータパケットを送受信する。アクセスポイント３０はルータ４０とも通信する。ルータ４０はブロードバンドモデム４４と通信し、このモデム４４はサービスプロバイダ４８と通信する。そして、サービスプロバイダ４８は、インターネット等の分散通信システムへのアクセスを提供する。
【０００４】
[0004]図２に、代表的な無線ネットワーク装置２０を示す。無線ネットワーク装置２０は、典型的にホスト５８及び無線ネットワークインターフェース６０を備える。無線ネットワークインターフェース６０は、典型的に無線物理層デバイス（ＰＨＹ）６２を備え、この装置６２は、送信機６６及び受信機６８を有する送受信機６４を備える。無線ネットワークインターフェース６０は、メディアアクセスコントローラ（ＭＡＣ）７０及び／又は他の要素（図示せず）を含んでいる。
【０００５】
[0005]図３に、代表的な有線ネットワーク装置２４を示す。有線ネットワーク装置２４は、典型的にホスト７８及び有線ネットワークインターフェース８０を備える。有線ネットワークインターフェース８０は、典型的に有線物理層デバイス（ＰＨＹ）８２を備え、この装置８２は、送信機８６及び受信機８８を有する送受信機８４を備える。有線ネットワークインターフェース８０は、メディアアクセスコントローラ（ＭＡＣ）９０及び／又は他の要素（図示せず）を含んでいる。
【０００６】
[0006]上述のように、動作中に、送信機６６,８６はそれぞれのメディアに送信されるべきデータを受信する。ネットワークインターフェースの供給電圧は、送信機に供給するために使用される電圧基準と比較して送信機６６，８６のダイナミックレンジに幾つかの制限を課すことがあり得る。
【０００７】
[0007]図４及び図５に示すように、図２及び図３に示す送信機６６，８６は、一般的に+ＶＳ〜-ＶＳの間で振れる供給電圧を受ける。この場合、ＶＳはＶｄｄのような供給電圧より小さいか等しい。しかしながら、送信機１００によって出力される伝送信号が供給電源の電圧の振れよりも高い振幅を持つとき、例えば図５の符号１１０，１１２に示すように、クリッピングが起こり得る。一方、供給電圧を増加させると、デバイスの電力消費を増加させる傾向もある。
【発明の概要】
【０００８】
[0008]回路は、デジタル伝送信号を受信し、遅延伝送信号を生成する遅延モジュールを備える。第１のデジタルアナログ変換機は、遅延伝送信号をアナログ伝送信号に変換する。アナログ出力回路はそのアナログ伝送信号を増幅する。包絡線生成モジュールは、デジタル伝送信号に関する振幅情報に基づいて、包絡線信号を生成する。供給調整モジュールは、包絡線信号が閾値より小さい場合に基準供給電圧を供給し、包絡線信号が閾値よりも大きい場合にアナログ出力回路のバイアス電圧を基準供給電圧よりも大きな値まで高める。
【０００９】
[0009]他の特徴として、第２のデジタルアナログ変換機は、包絡線信号をアナログ包絡線信号に変換する。第１のデジタルアナログ変換機は、第２のデジタルアナログ変換機よりも高い変換率を有する。第３のデジタルアナログ変換機は、包絡線信号を受信して第３の信号を生成し、増幅器のためのバイアス電流を選択的に高める。包絡線信号が閾値よりも高い場合に、バイアス電流が増加する。無線ネットワークインターフェースは、ＩＥＥＥセクション８０２．１１、８０２．１１ａ、８０２．１１ｂ、８０２．１１ｇ、８０２．１１ｈ、８０２．１１ｎ、８０２．１６、及び８０２．２０の少なくとも１つに対応する。
【００１０】
[0010]回路は、バイアス信号及び制御信号を受信するアナログ出力モジュールを備える。遅延モジュールは、第１の信号を受信して、遅延された第１の信号を生成する。制御モジュールは、その遅延された第１の信号を受信し、それに基づいて制御信号を生成する。包絡線生成モジュールは、第１の信号に関する振幅情報を含んだ第２の信号を受信し、包絡線信号が所定の閾値よりも高い場合であって且つ第１の信号の対応する部分をアナログ出力モジュールが受信する前に、アナログ出力モジュールへのバイアス信号を選択的に高める包絡線信号を生成する。
【００１１】
[0011]他の特徴として、第１の信号は、デジタル変調キャリア信号を含む。整流器モジュールは、そのデジタル変調キャリア信号を整流し、整流された変調キャリア信号を包絡線生成モジュールに出力する。デジタルアナログ変換機は、包絡線信号をアナログ包絡線信号に変換する。包絡線信号は、第１の信号の最速の立ち上がり時間よりも遅い立ち上がり時間を持つ。アナログ出力モジュールは、電力増幅器を含む。制御モジュールは、送信機モジュールを含む。
【００１２】
[0012]他の特徴として、スイッチが第１の基準電圧を受け、包絡線生成モジュールによって制御される。キャパシタンスが包絡線生成モジュールの出力及びスイッチと電気的に接続されている。インダクタンスがアナログ出力モジュール及びスイッチと電気的に接続されている。マッチングネットワークがアナログ出力モジュールと電気的に接続されている。アンテナがそのマッチングネットワークと電気的に接続されている。包絡線生成モジュールは第１の信号を受信し、その第１の信号に基づいて包絡線信号を生成する。遅延回路は、変調されたキャリア信号を遅延させる。アップコンバータは、遅延変調キャリア信号をアップコンバートする。
【００１３】
[0013]回路は、バイアス信号及び制御信号を受信するアナログ出力手段を備える。遅延手段は、第１の信号を受信し、遅延された第１の信号を生成する。制御手段は、その遅延された第１の信号を受信し、それに基づいて制御信号を生成する。包絡線生成手段は、第１の信号に関する振幅情報を含んだ第２の信号を受信し、アナログ出力手段へのバイアス信号を、包絡線信号が所定の閾値よりも高い場合であって且つ第１の信号の対応する部分をアナログ出力手段が受信する前に、選択的に高める。
【００１４】
[0014]他の特徴としては、第１の信号は、デジタル変調キャリア信号を含む。整流手段は、そのデジタル変調キャリア信号を整流し、整流された変調キャリア信号を包絡線生成手段に出力する。デジタルアナログ変換手段は、包絡線信号をアナログ包絡線信号に変換する。包絡線信号は、第１の信号の最速の立ち上がり時間よりも遅い立ち上がり時間を持つ。アナログ出力手段は、増幅のための電力増幅手段を含む。制御手段は、送信のための送信手段を含む。スイッチングのためのスイッチ手段が第１の基準電圧を受けるようになっており、包絡線生成手段によって制御される。キャパシタンス手段がキャパシタンスを提供し、包絡線生成手段の出力及びスイッチ手段と電気的に接続されている。インダクタンス手段がインダクタンスを提供し、キャパシタンス手段及びアナログ出力手段と電気的に接続されている。
【００１５】
[0015]更に他の特徴として、マッチングのためのマッチングネットワーク手段がアナログ出力手段と電気的に接続されている。アンテナがマッチングネットワーク手段と電気的に接続されている。包絡線生成手段は、第１の信号を受信し、その信号に基づいて包絡線信号を生成する。遅延手段は、変調されたキャリア信号を遅延させる。アップコンバーティング手段は、遅延変調キャリア信号をアップコンバートする。
【００１６】
[0016]方法は、アナログ出力モジュールでバイアス信号及び制御信号を受信するステップと、第１の信号を受信及び遅延するステップと、遅延された第１の信号に基づいて制御信号を生成するステップと、第１の信号に関する振幅情報を含む第２の信号を受信するステップと、包絡線信号が所定の閾値よりも高い場合であって且つ第１の信号の対応する部分をアナログ出力モジュールが受信する前に、アナログ出力モジュールへのバイアス信号を選択的に高める包絡線信号を第２の信号に基づいて生成するステップとを含む。
【００１７】
[0017]他の特徴としては、第１の信号はデジタル変調キャリア信号を含む。方法は、そのデジタル変調キャリア信号を整流し、その整流されたデジタル変調キャリア信号を包絡線生成モジュールに出力する。方法は、包絡線信号をアナログ包絡線信号に変換するステップを含む。包絡線信号は、第１の信号の最速の立ち上がり時間よりも遅い立ち上がり時間を持つ。方法は、第１の信号に基づいて包絡線信号を生成するステップを更に有する。方法は、変調キャリア信号を遅延させ、その遅延変調キャリア信号をアップコンバートするステップを更に有する。
【００１８】
[0018]本発明を適用可能な更なる領域は、以下の詳細な説明において明らかにされる。詳細な説明及び具体例は、本発明の好ましい実施形態を開示するものに単に例示を目的とするものに過ぎず、本発明の範囲を制限するものではない。
【００１９】
[0019]本発明は、詳細な説明と添付の図面から更に理解することができる。
【好ましい実施形態の詳細な説明】
【００２０】
[0042]以下の説明は、例示的な性質のものに過ぎず、本発明、その適用、又は使用を制限するものではない。分かり易さを図るために、図面中、類似の要素を特定するために同じ番号を付す。本明細書で使用するモジュール、回路、及び／又は装置という用語は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ、特定用途向け集積回路）、電子回路、１つ又は複数のソフトウェア又はファームウェアのプログラムを実行するプロセッサ（共用、専用又はグループの）及びメモリ、組合せ論理回路（ｃｏｍｂｉｎａｔｉｏｎａｌ  ｌｏｇｉｃ  ｃｉｒｃｕｉｔ）、及び／又は、説明する機能を提供する他の適した構成要素を指す。本明細書で使用する、Ａ、Ｂ、及びＣのうちの少なくとも１つという表現は、非排他的な論理和（ｎｏｎ−ｅｘｃｌｕｓｉｖｅ  ｌｏｇｉｃａｌ  ｏｒ）を用いた論理計算（ｌｏｇｉｃａｌ）の（ＡｏｒＢｏｒＣ）を意味すると解釈されたい。方法における各ステップは、本発明の本質を変更しない範囲で異なる順序で実行してもよい。
【００２１】
[0043]図６Ａ及び図６Ｂに、本発明に係る適応送信機１５０−１，１５０−２（集合的に適応送信機１５０）を示す。適応送信機１５０の素子は、基準電圧ＶＳを受ける。従来のシステムとは異なり、基準電圧ＶＳは一時的に供給電圧Ｖｄｄよりも大きくなり得る。このため、送信機内の幾つかの素子は、比較的低い電力消費を維持しながらもクリッピングを避けてダイナミックレンジを増加させるために、供給電圧Ｖｄｄよりも高い電圧で駆動される。
【００２２】
[0044]図６Ａにおいて、適応送信機１５０−１は、送信されるべき伝送信号を出力するデジタルシグナルプロセッサ（ＤＳＰ）１５２を備える。遅延モジュール１５４は、予め定められた遅延量又は調整可能な可変の遅延量だけ伝送信号を遅延させる。デジタルアナログ変換機１５８は、遅延された伝送信号をアナログ伝送信号に変換する。アナログ伝送信号は、増幅器１６２のようなアナログ出力回路に出力され、増幅器１６２は、そのアナログ伝送信号を増幅する。増幅器を図示しているが、バイアス電圧を必要とする如何なるアナログ出力回路をも使用することができる。
【００２３】
[0045]ブーストモジュール１６４は、伝送信号（又は伝送信号に関する振幅情報）を受信し、アナログ伝送信号が供給電圧レベル又は他の閾値を超える場合に、供給電圧レベルＶｄｄのような閾値よりも高い値まで、増幅器及び／又は他のアナログ出力回路に供給された電圧ＶＳを選択的に増加する。平常のシステムとは対照的に、増幅器１６２に対する電圧のブーストは、閾値を超えた対応する伝送信号を増幅器１６２が受信する前に起こる。このため、クリッピングを低減できるかもしれないが避けることはできない平常のシステムとは異なり、クリッピングを避けることができる。包絡線（エンベロープ）信号は、伝送信号の最速の立ち上がり時間よりも遅い立ち上がり時間を持つ。
【００２４】
[0046]ブーストモジュール１６４は、包絡線モジュール１７０、デジタルアナログ変換機１７２、及び供給調整モジュール１７４を備える。伝送信号は包絡線モジュール１７０に出力されてもよい。包絡線モジュール１７０は、その伝送信号に基づく包絡線信号を生成する。包絡線信号は、低いバンド幅で伝送信号の正及び／又は負のピークを追跡（トラック）する。包絡線信号はデジタルアナログ変換機１７２に出力され、変換機１７２はその包絡線信号をアナログ信号に変換する。デジタルアナログ変換機１７２からのアナログ信号は、供給調整モジュール１７４に出力される。供給調整モジュール１７４は、増幅器１６２のための可変の供給電圧即ちバイアス電圧を生成する。
【００２５】
[0047]包絡線信号が閾値信号よりも低い場合は、供給調整モジュール１７４はＶＳ＝Ｖｄｄを供給する。包絡線信号が閾値信号よりも高い場合には、供給調整モジュール１７４はＶＳをＶｄｄよりも高い値までブーストする。ブースト電圧ＶBoostは、送信機内の増幅器が伝送信号をクリッピングすることなくトラックできるようにする。遅延モジュール１５４により与えられた遅延は、ＶＳをＶｄｄよりも高い値までブーストするのに必要な追加の電圧を供給調整モジュール１７４が生成できるようにする。デジタルアナログ変換機１５８は、デジタルアナログ変換機１７２よりも高い変換率及びバンド幅を持つようにしてもよい。
【００２６】
[0048]包絡線信号ジェネレータは、図６Ａに示すように遅延モジュール１５４及びデジタルアナログ変換機１５８と同じ信号を受信する必要は無いことが理解される。例えば、デジタルシグナルプロセッサ１５２は、デジタル信号に関する振幅情報を包絡線信号ジェネレータに出力し、伝送信号（追加情報を含む）を遅延モジュール１５４及びデジタルアナログ変換機１５８に出力する。他の種類の信号を用いることもできる。
【００２７】
[0049]図７Ａ〜図７Ｃ及び図８Ａ〜図８Ｃに示すように、典型的な供給調整モジュール１７４は、スイッチＳBoost及びデジタルアナログ変換機１７２からブースト電圧の供給を受けるブーストキャパシタＣBoostを備える。包絡線信号が閾値信号よりも低い場合、スイッチＳBoostは閉じており、供給調整モジュール１７４はＶＳ＝Ｖｄｄを供給する。包絡線信号が閾値信号よりも大きい場合は、スイッチＳBoostは開いており、供給調整モジュール１７４はＶＳ＝Ｖｄｄ+ＶBoostを供給する。キャパシタＣBoostに蓄積されたエネルギは、増幅器及び／又は他のアナログ出力回路に、バイアス電圧及び／又は電流を供給する。図８Ａに示すように、ブースト電圧は、供給された電圧ＶＳを一時的にＶｄｄよりも高い値に増加し、伝送信号のクリッピングを低減又は防止する。
【００２８】
[0050]図７Ｂにおいては、デジタル信号は、ポジティブ包絡線生成モジュール１７６及びネガティブ包絡線生成モジュール１７７に出力され、これらのモジュールはそれぞれ正又は負の包絡線信号を生成する。ポジティブ包絡線生成モジュール１７６及びネガティブ包絡線生成モジュール１７７の出力は、デジタルアナログ変換機（ＤＡＣ）１７８，１７９に入力される。ＤＡＣ１７８，１７９の出力は、ポジティブブーストキャパシタＣBoost+及びネガティブブーストキャパシタＣBoost-にそれぞれ伝達される。スイッチ１８１−１，１８１−２は、上記のようにＶｄｄ又はブースト電圧で増幅器１８０を選択的にバイアスするように作動する。
【００２９】
[0051]図７Ｃにおいて、デジタル信号は該信号を整流する整流器１８２（又は絶対値回路）に送り込まれる。使用される場合、絶対値回路は、符号ビットを絶対値を示すように選択的に変化させる。包絡線モジュールは、正及び負の包絡線信号をＤＡＣ１８４，１８５に出力する。ＤＡＣ１８４，１８５の出力は、ポジティブブーストキャパシタＣBoost+及びネガティブブーストキャパシタＣBoost-にそれぞれ伝達される。スイッチ１８６−１，１８６−２は、上記のようにＶｄｄ又はブースト電圧で増幅器１８７を選択的にバイアスするように作動する。
【００３０】
[0052]図７Ｂに示す回路は、図８Ａに示す対称の波形を生成する。図８Ａ及び図８Ｂに示すように、伝送信号１９０は包絡線信号１９２よりも高いバンド幅を有する。包絡線信号１９２は伝送信号１９０を予測（ａｎｔｉｃｉｐａｔｅ）する。換言すると、包絡線信号１９２は、一般的に符号１８８で示される従来のピーク包絡線検出信号の場合とは異なり、単に伝送信号１９０の増加に追従するわけではない。むしろ、包絡線信号１９２は、伝送信号１９０の増加を予測して増加し始め、従来のピーク包絡線検出信号よりも高い振幅を持ち得る。更に、包絡線信号１９２のバンド幅は、伝送信号１９０のバンド幅よりも狭い。換言すると、包絡線信号１９２の立ち上がり時間は、伝送信号１９０の最速の立ち上がり時間よりも大きい。言い換えると、図８Ａの包絡線信号のスロープ１９７は、伝送信号１９０の対応（及び遅延）部分のスロープ１９６よりも小さい。更に速い応答又はステップ応答（例えば図８Ｂの符号１９９で示すように）を持った包絡線信号を用いると、高い周波数ノイズをもたらす傾向になり得る。
【００３１】
[0053]図８Ｃに、図７Ｃの回路で生成される非対称の波形を示す。生成されるブーストは、信号の正の部分と負の部分で異なる。このため、差動増幅器のための正のバイアス電圧及び負のバイアス電圧も異なるようにできる。
【００３２】
[0054]図９に示すように、適応送信機２００が無線送信機のためのＲＦ増幅器に実装されている。適応送信機２００の素子は供給電圧Ｖｄｄを受ける。しかしながら、送信機内の幾つかの素子は、供給電圧Ｖｄｄよりも高い電圧で一時的に作動する。デジタル伝送モジュレータ２０２は、伝送信号を遅延モジュール１５４及び整流器２０１（すなわち絶対値モジュール）に出力する。整流器２０１は、整流されたデジタル信号を包絡線モジュール１７０に出力する。デジタルアナログ変換機１５８は、遅延された伝送信号をアナログ伝送信号に変換する。アナログ伝送信号は、信号をアップコンバートするアップコンバータ２０４に出力する。アップコンバートされた信号は増幅器１６２に出力され、増幅器１６２はその信号を増幅する。
【００３３】
[0055]包絡線モジュール１７０は、伝送信号及び／又は閾値信号に基づいて包絡線信号を生成する。包絡線信号は、デジタルアナログ変換機１７２に出力され、該変換機１７２は、包絡線信号をアナログ信号に変換する。デジタルアナログ変換機１７２からのアナログ信号は、供給調整モジュール１７４に出力される。供給調整モジュール１７４は、増幅器１６２のための可変の供給電圧を生成する。
【００３４】
[0056]包絡線信号が閾値信号よりも低い場合、供給調整モジュール１７４はＶＳ＝Ｖｄｄを供給する。包絡線信号が閾値信号よりも高い場合には、供給調整モジュール１７４はＶＳをＶｄｄよりも高い値までブーストする。遅延モジュール１５４により与えられた遅延は、ＶＳをＶｄｄよりも高い値までブーストするのに必要な追加の電圧を供給調整モジュール１７４が生成できるようにする。また、デジタルアナログ変換機２０８は、包絡線信号を受信して、ＲＦバイアス電流を生成する。ＲＦバイアス電流は、選択的に増幅器１６２を増幅する。バイアス電流はブースト電圧が供給されるのと同時に与えられてもよいし、及び／又は、増幅器１６２に適応バイアス電流を継続的に供給してもよい。バイアス調整モジュール２１０は、包絡線信号に基づいて増幅器へのＲＦバイアス電流を調整する。
【００３５】
[0057]適切な応用例としては、無線ネットワーク装置及び有線ネットワーク装置が挙げられる。ネットワーク装置は、ＶＤＳＬ又はＶＤＳＬ２対応にすることができる。無線ネットワーク装置は、ＩＥＥＥ規格８０２．１１、８０２．１１ａ、８０２．１１ｂ、８０２．１１ｇ、８０２．１１ｈ、８０２．１１ｎ、８０２．１６、８０２．２０、及び／又は、例えばＧＳＭ４Ｇ対応のブルートゥース及び携帯電話に対応するようにしてもよい。
【００３６】
[0058]図１０Ａ及び図１０Ｂに示すように、伝送回路２４０は、振幅情報を含む第１の信号及び変調されたキャリア信号を生成するデジタルシグナルプロセッサ（ＤＳＰ）２４２を備える。整流器２４４（又は絶対値回路）は信号を増幅し、その信号を包絡線生成モジュール２４６に出力する。このモジュール２４６は、上記のように包絡線信号を生成する。ＤＡＣ２５０は、包絡線信号をアナログ包絡線信号に変換すると共に、キャパシタＣBoostを通じてブースト電圧ＶBoostを生成する。また、包絡線生成モジュール２４６は、Ｖｄｄに接続されたスイッチ２５８を選択的にオープン及びクローズする制御信号を生成する。スイッチは上記のように作動する。
【００３７】
[0059]遅延モジュール２５５は、変調されたキャリア信号を受信し、遅延変調キャリア信号を生成する。アップコンバータモジュール２５６は、その遅延信号をアップコンバートする。送信機２５７は、その遅延変調キャリア信号に基づいて、電力増幅器２６４の制御端子のための制御信号を生成する。インダクタンス２６０は、ブーストキャパシタＣBoost及び電力増幅器２６４の第１端子の間に電気的に接続されてもよい。マッチング回路２６６は、その第１端子及びアンテナ２６８に電気的に接続されている。図１０Ｂにおいて、デジタル伝送信号は例えば符号３００において整流され、アナログ包絡線信号が図示のように生成される。増幅器への電圧バイアスは、クリッピングの防止に必要なだけＶｄｄより高い値に増加する。
【００３８】
[0060]図１１Ａ〜図１１Ｇに、本発明の様々な代表的な実装形態を示す。図１１Ａに示すように、本発明はハードディスク装置９００を有するネットワークアクセスストレージモジュール（ｎｅｔｗｏｒｋ  ａｃｃｅｓｓｅｄ  ｓｔｏｒａｇｅ  ｍｏｄｕｌｅ：ＮＡＳ）に実装することができる。本発明は、図１１Ａに符号９０４で一般的に示される無線ネットワークインターフェースモジュールを実現又は該モジュールに実装されることができる。ある種の実装形態では、信号処理及び／又は制御回路、並びに／或いは他の回路（図示せず）は、モジュール９０４と通信し、符号化及び／又は暗号化を行い、計算を実行し、磁気ストレージ媒体９０６へ出力される及び／又は媒体９０６から受け取ったデータをフォーマットすることができる。
【００３９】
[0061]ＨＤＤ９００は、コンピュータ、パーソナルデジタルアシスタント（ＰＤＡ）、携帯電話機、メディア又はＭＰ３プレイヤ等のモバイルコンピューティングデバイス、及び／又は、一又は複数の有線リンク９０８並びに／或いはモジュール９０４を介した他のデバイス等の他のネットワーク装置（図示せず）と通信することができる。ＨＤＤ９００は、ランダムアクセスメモリ（ＲＡＭ）、フラッシュメモリなどの低レイテンシ不揮発性メモリ、リードオンリーメモリ（ＲＯＭ）、及び／又は、他の適する電子的データストレージ等のメモリ９０９に接続することができる。また、ＨＤＤ９００は、パワー供給モジュール９０３を含んでもよい。
【００４０】
[0062]図１１Ｂに示すように、本発明はデジタルヴァーサタイルディスク（ＤＶＤ）装置９１０に実装することができる。本発明は、図１１Ｂに符号９１１で一般的に示される無線ネットワークインターフェースモジュールを実現又は該モジュールに実装されることができる。ＤＶＤ装置９１０における信号処理及び／又は制御回路９１２、並びに／或いは他の回路（図示せず）は、データを処理し、符号化及び／又は暗号化を行い、計算を実行し、光ストレージ媒体へ出力される及び／又は媒体から受け取ったデータをフォーマットすることができる。ある種の実装形態では、ＤＶＤ装置９１０における信号処理及び／又は制御回路９１２は、符号化及び／又は暗号化、並びに／或いは、ＤＶＤ装置に関する他の信号処理機能等の他の機能を実行することもできる。
【００４１】
[0063]ＤＶＤ装置９１０は、一又は複数の有線リンク９１７並びに／或いはモジュール９１１を介した無線リンクによって、コンピュータ、テレビジョン、又は、他のデバイス（図示せず）と通信することができる。ＤＶＤ装置９１０は、データを不揮発的に記憶するマスデータストレージ９１８と通信するようにしてもよい。マスデータストレージ９１８は、ハードディスク装置（ＨＤＤ）を備えてもよい。ＨＤＤは、図１１Ａに示す構成を採用してもよい。ＨＤＤは、直径が約１．８インチ（４．５７ｃｍ）よりも小さい１つ又は複数のプラッタを含むミニＨＤＤであってもよい。ＤＶＤ装置９１０は、ＲＡＭ、ＲＯＭ、フラッシュメモリ等の低レイテンシ不揮発性メモリ、及び／又は、他の適する電子的データストレージ等のメモリ９１９に接続することができる。また、ＤＶＤ装置９１０は、パワー供給モジュール９１３を含んでもよい。
【００４２】
[0064]図１１Ｃに示すように、本発明は高精細度テレビジョン（ＨＤＴＶ）９２０に実装することができる。本発明は、図１１Ｅに符号９２２で一般的に示される信号処理及び／又は制御回路、並びに／或いは、無線ネットワークインターフェースモジュール９２９を実現及び／又は該モジュールに実装されることができる。
【００４３】
[0065]ＨＤＴＶ９２０は、有線又は無線フォーマットでＨＤＴＶ入力信号を受信し、ディスプレイ９２６のためのＨＤＴＶ出力信号を生成する。ある実装態様では、ＨＤＴＶ９２０の信号処理及び／又は制御回路９２２、並びに／或いは、他の回路（図示せず）は、データを処理し、符号化及び／又は暗号化を行い、計算を実行し、データをフォーマットし、及び／又は、必要になり得る他のタイプのＨＤＴＶプロセスを実行することができる。
【００４４】
[0066]ＨＤＴＶ９２０は、データを不揮発的に記憶する光及び／又は磁気記憶装置等のマスデータストレージ９２７と通信するようにしてもよい。少なくとも１つのＨＤＤを図１１Ａに示す構成にしてもよく、及び／又は、少なくとも１つのＤＶＤを図１１Ｂに示す構成にしてもよい。ＨＤＤは、直径が約１．８インチ（４．５７ｃｍ）よりも小さい１つ又は複数のプラッタを含むミニＨＤＤであってもよい。ＨＤＴＶ９２０は、ＲＡＭ、ＲＯＭ、フラッシュメモリ等の低レイテンシ不揮発性メモリ、及び／又は、他の適する電子的データストレージ等のメモリ９２８に接続することができる。また、ＨＤＴＶ９２０は、パワー供給モジュール９２３を含んでもよい。
【００４５】
[0067]図１１Ｄに示すように、本発明は、車両９３０の無線ネットワークインターフェースモジュール９４８を実現及び／又は該モジュールに実装することができる。パワートレイン制御システム９３２は、温度センサ、圧力センサ、回転センサ、気流センサ、及び／又は他の適切なセンサなどの一又は複数のセンサからの入力を受信し、並びに／或いは、エンジン動作パラメータ、トランスミッションオペレーティングパラメータ、及び／又は、他の制御信号等の一又は複数の制御信号を生成する。
【００４６】
[0068]制御システム９４０は同様に、入力センサ９４２から信号を受信し、及び／又は、一又は複数の出力デバイス９４４に制御信号を出力する。ある実施態様においては、制御システム９４０は、アンチロックブレーキシステム（ＡＢＳ）、ナビゲーションシステム、テレマティックスシステム、車両テレマティックスシステム、レーンデパーチャシステム、アダプティブクルーズコントロールシステム、車両エンターテイメントシステム（例えばステレオ、ＤＶＤ、コンパクトディスク等）等に用いられる。更に他の実装態様を実現することもできる。
【００４７】
[0069]パワートレイン制御システム９３２は、データを不揮発的に記憶するマスデータストレージ９４６と通信できる。マスデータストレージ９４６は、ハードディスク装置ＨＤＤ及び／又はＤＶＤ等の光学的及び／又は磁気的なストレージデバイスを備えることができる。少なくとも１つのＨＤＤを図１１Ａに示す構成にしてもよく、及び／又は、少なくとも１つのＤＶＤを図１１Ｂに示す構成にしてもよい。ＨＤＤは、直径が約１．８インチ（４．５７ｃｍ）よりも小さい１つ又は複数のプラッタを含むミニＨＤＤであってもよい。パワートレイン制御システム９３２は、ＲＡＭ、ＲＯＭ、フラッシュメモリ等の低レイテンシ不揮発性メモリ、及び／又は、他の適する電子的データストレージ等のメモリ９４７に接続することができる。車両９３０は、パワー供給モジュール９３３を含んでもよい。
【００４８】
[0070]図１１Ｅに示すように、本発明は、セルラアンテナ９５１を含み得るセルラ電話９５０に実装することができる。本発明は、無線ネットワークインターフェースモジュール９６８を実現及び／又は該モジュールに実装されるようにできる。ある実施形態では、セルラ電話９５０は、マイクロフォン９５６、スピーカ及び／又はオーディオ出力ジャック等のオーディオ出力９５８、ディスプレイ９６０、並びに／或いは、キーパッド、ポインティングデバイス、音声作動（ｖｏｉｃｅ  ａｃｔｕａｔｉｏｎ）及び／又は他の入力装置等の入力装置９６２を含む。信号処理及び／又は制御回路９５２、並びに／或いは、セルラ電話９５０内の他の回路（図示せず）は、データを処理し、符号化及び／又は暗号化を行い、計算を実行し、データをフォーマットし、並びに／或いは、他のセルラ電話機能を行うことができる。
【００４９】
[0071]セルラ電話９５０は、光及び／又は磁気のストレージ装置等のようにデータを不揮発的に記憶するマスデータストレージ９６４と通信することができる。そのようなデバイスとしては、例えば、ＨＤＤ（ハードディスクドライブ）及び／又はＤＶＤが挙げられる。少なくとも１つのＨＤＤを図１１Ａに示す構成にしてもよく、及び／又は、少なくとも１つのＤＶＤを図１１Ｂに示す構成にしてもよい。ＨＤＤは、直径が約１．８インチ（４．５７ｃｍ）よりも小さい１つ又は複数のプラッタを含むミニＨＤＤであってもよい。セルラ電話９５０は、ＲＡＭ、ＲＯＭ、フラッシュメモリ等の低レイテンシ不揮発性メモリ、及び／又は、他の適する電子的データストレージ等のメモリ９６６に接続することができる。セルラ電話９５０は、パワー供給モジュール９５３を含んでもよい。
【００５０】
[0072]図１１Ｆに示すように、本発明はセットトップボックス９８０に実装することができる。本発明は、ネットワークインターフェースモジュール９９６を実現及び／又は該モジュールに実装されるようにできる。セットトップボックス９８０は、信号をブロードバンドソース（ｂｒｏａｄｂａｎｄ  ｓｏｕｒｃｅ）等のソースからの信号を受信し、テレビ受像機及び／又はモニタ並びに／或いは他のビデオ及び／又はオーディオの出力装置等のディスプレイ９８８に適した標準及び／又は高精細度のオーディオ／ビデオ信号を出力する。ソースは、ネットワークインターフェースモジュール９９６を介してセットトップボックス９８０に接続するようにしてもよい。信号処理及び／又は制御回路９８４、並びに／或いは、セットトップボックス９８０内の他の回路（図示せず）は、データを処理し、符号化及び／又は暗号化を行い、計算を実行し、データをフォーマットし、並びに／或いは他のどのようなセットトップボックス機能も行うことができる。
【００５１】
[0073]セットトップボックス９８０は、データを不揮発的に記憶するマスデータストレージ９９０と通信することができる。マスデータストレージ９９０は、光及び／又は磁気のストレージ装置、例えばＨＤＤ（ハードディスクドライブ）及び／又はＤＶＤを含む。少なくとも１つのＨＤＤを図１１Ａに示す構成にしてもよく、及び／又は、少なくとも１つのＤＶＤを図１１Ｂに示す構成にしてもよい。ＨＤＤは、直径が約１．８インチ（４．５７ｃｍ）よりも小さい１つ又は複数のプラッタを含むミニＨＤＤであってもよい。セットトップボックス９８０は、ＲＡＭ、ＲＯＭ、フラッシュメモリ等の低レイテンシ不揮発性メモリ、及び／又は他の適する電子的データストレージ等のメモリ９９４に接続することができる。セットトップボックス９８０は、パワー供給モジュール９８３を含んでもよい。
【００５２】
[0074]図１１Ｇに示すように、本発明はメディアプレイヤに実装することができる。本発明は、無線ネットワークインターフェース１０１６を実現又は該インターフェースに実装されるようにできる。ある実装形態では、メディアプレイヤ１０００は、ディスプレイ１００７、及び／又は、キーパッド、タッチパッド等のユーザ入力１００８を含む。ある実装形態では、メディアプレイヤ１０００は、典型的に、メニュー、ドロップダウンメニュー、アイコン、並びに／或いは、ディスプレイ１００７及び／又はユーザ入力１００８を介したポイントアンドクリックインターフェースを使用するＧＵＩ（ｇｒａｐｈｉｃａｌ  ｕｓｅｒ  ｉｎｔｅｒｆａｃｅ、グラフィカルユーザインターフェース）を使用することができる。メディアプレイヤ１０００は、スピーカ及び／又はオーディオ出力ジャック等のオーディオ出力１００９をさらに含む。信号処理及び／又は制御回路１００４並びに／或いはメディアプレイヤ１０００内の他の回路（図示せず）は、データを処理し、符号化及び／又は暗号化を行い、計算を実行し、データをフォーマットし、並びに／或いは他のどのようなメディアプレイヤ機能も行うことができる。
【００５３】
[0075]メディアプレイヤ１０００は、圧縮済みのオーディオ及び／又はビデオのコンテンツ等のデータを不揮発的に記憶するマスデータストレージ１０１０と通信することができる。ある実装形態では、圧縮済みオーディオファイルは、ＭＰ３フォーマット又は他の適する圧縮済みのオーディオ及び／又はビデオのフォーマットに従うファイルを含む。マスデータストレージは、光及び／又は磁気のストレージ装置、例えばＨＤＤ（ハードディスクドライブ）及び／又はＤＶＤを含むことができる。少なくとも１つのＨＤＤを図１１Ａに示す構成にしてもよく、及び／又は、少なくとも１つのＤＶＤを図１１Ｂに示す構成にしてもよい。ＨＤＤは、直径が約１．８インチ（４．５７ｃｍ）よりも小さい１つ又は複数のプラッタを含むミニＨＤＤであってもよい。メディアプレイヤ１０００は、ＲＡＭ、ＲＯＭ、フラッシュメモリなどの低レイテンシ不揮発性メモリ、及び／又は他の適する電子的データストレージ等のメモリ１０１４に接続することができる。上述したものに加えて、本発明は他の実装形態も企図している。
【００５４】
[0076]増幅器１６２を図示したが、バイアス電圧及び／又は電流を必要とする如何なるアナログ出力回路でも使用することができる。本発明は、通常は必要な供給電圧を低下させ、必要に応じて供給電圧を選択的に増加させる。結果として、回路のダイナミックレンジは、電力損失を著しく増加させることなく改善される。
【００５５】
[0077]本発明の広範な教示を様々な形で実施できることを、当業者は前述の説明から理解することができる。したがって、ここでは特定の実施形態を開示したが、図面、明細書、及び添付の特許請求の範囲を検討すれば他の変形例が当業者にとって明らかであるため、本発明の真の範囲は上記各実施形態に限定されるべきではない。
【図面の簡単な説明】
【００５６】
【図１】従来技術による典型的な無線ネットワークの機能ブロック図である。
【図２】図１の典型的な無線ネットワーク装置の機能ブロック図である。
【図３】図１の典型的な有線ネットワーク装置の機能ブロック図である。
【図４】従来技術による電圧源によって作動する送信機の機能ブロック図である。
【図５】図４の送信機によって送信された無線信号の典型的な波形を示す図である。
【図６Ａ】本発明に係る典型的な適応送信機の機能ブロック図である。
【図６Ｂ】本発明に係る典型的な適応送信機の機能ブロック図である。
【図７Ａ】供給調整モジュールの典型的な機能ブロック図及び電気回路図である。
【図７Ｂ】非対称供給調整モジュールの典型的な機能ブロック図及び電気回路図である。
【図７Ｃ】対称供給調整モジュールの典型的な機能ブロック図及び電気回路図である。
【図８Ａ】対称のブーストされた波形を示す図である。
【図８Ｂ】包絡線信号の遅い信号立ち上がり時間を示す図である。
【図８Ｃ】非対称のブーストされた波形を示す図である。
【図９】ブースティングを有するＲＦ増幅器の典型的な機能ブロック図である。
【図１０Ａ】他の典型的な適応送信機の機能ブロック図及び電気回路図である。
【図１０Ｂ】整流及びブーストされた波形を示す図である。
【図１１Ａ】ネットワークアクセスストレージモジュールへ本発明を実装した典型的な例を示す図である。
【図１１Ｂ】ＤＶＤドライブへ本発明を実装した典型的な例を示す図である。
【図１１Ｃ】高精度テレビジョンへ本発明を実装した典型的な例を示す図である。
【図１１Ｄ】車両に関する無線ローカルエリアネットワーク装置に本発明を実装した典型的な例を示す図である。
【図１１Ｅ】携帯電話機へ本発明を実装した典型的な例を示す図である。
【図１１Ｆ】セットトップボックスへ本発明を実装した典型的な例を示す図である。
【図１１Ｇ】メディアプレイヤへ本発明を実装した典型的な例を示す図である。
【符号の説明】
【００５７】
１０…ネットワーク、２０…無線ネットワーク装置、２４…有線ネットワーク装置、３０…アクセスポイント、４０…ルータ、４４…ブロードバンドモデム、４４…モデム、４８…サービスプロバイダ、５８…ホスト、６０…無線ネットワークインターフェース、６２…無線物理層デバイス（ＰＨＹ）、６４…送受信機、７８…ホスト、８０…有線ネットワークインターフェース、８２…有線物理層デバイス（ＰＨＹ）、８４…送受信機、８６…送信機、８８…受信機、１００…送信機、１５０…適応送信機、１５２…デジタルシグナルプロセッサ、１５４…遅延モジュール、１５８…デジタルアナログ変換機、１６２…増幅器、１６４…ブーストモジュール、１７０…包絡線モジュール、１７２…デジタルアナログ変換機、１７４…供給調整モジュール、１７６…ポジティブ包絡線生成モジュール、１７７…ネガティブ包絡線生成モジュール、１８０…増幅器、１８１…スイッチ、１８２…整流器、１８６…スイッチ、１８７…増幅器、１９０…伝送信号、１９２…包絡線信号、２００…適応送信機、２０１…整流器、２０２…デジタル伝送モジュレータ、２０４…アップコンバータ、２０８…デジタルアナログ変換機、２１０…バイアス調整モジュール、２４０…伝送回路、２４４…整流器、２４６…包絡線生成モジュール、２５５…遅延モジュール、２５６…アップコンバータモジュール、２５７…送信機、２５８…スイッチ、２６０…インダクタンス、２６４…電力増幅器、２６６…マッチング回路、２６８…アンテナ。
【図１】
2007228570.tif 000003
【図２】
2007228570.tif 000004
【図３】
2007228570.tif 000005
【図４】
2007228570.tif 000006
【図５】
2007228570.tif 000007
【図６Ａ】
2007228570.tif 000008
【図６Ｂ】
2007228570.tif 000009
【図７Ａ】
2007228570.tif 000010
【図７Ｂ】
2007228570.tif 000011
【図７Ｃ】
2007228570.tif 000012
【図８Ａ】
2007228570.tif 000013
【図８Ｂ】
2007228570.tif 000014
【図８Ｃ】
2007228570.tif 000015
【図９】
2007228570.tif 000016
【図１０Ａ】
2007228570.tif 000017
【図１０Ｂ】
2007228570.tif 000018
【図１１Ａ】
2007228570.tif 000019
【図１１Ｂ】
2007228570.tif 000020
【図１１Ｃ】
2007228570.tif 000021
【図１１Ｄ】
2007228570.tif 000022
【図１１Ｅ】
2007228570.tif 000023
【図１１Ｆ】
2007228570.tif 000024
【図１１Ｇ】
2007228570.tif 000025
【外国語明細書】
2007228570000001.pdf